(57)【要約】  表示部と、表示制御部と、タッチパネルと、前記タッチパネルに対する接触を検知する検知部と、を備え、前記表示制御部は、動作モードが第１モードの場合、前記タッチパネルの所定画像の位置に前記接触があった時に所定の表示を行い、動作モードが第２モードの場合、前記タッチパネルに前記接触があった時、所定画像の有無、及び該接触の位置に関係なく所定の表示を行う表示システムとした。
2012073577.tif 000002
【特許請求の範囲】
【請求項１】
表示部と、
表示制御部と、
タッチパネルと、
前記タッチパネルに対する接触を検知する検知部と、を備え、
前記表示制御部は、
動作モードが第１モードの場合、前記タッチパネルの所定画像の位置に前記接触があった時に所定の表示を行い、
動作モードが第２モードの場合、前記タッチパネルに前記接触があった時、所定画像の有無、及び該接触の位置に関係なく所定の表示を行う、
ことを特徴とする表示システム。
【請求項２】
前記第１モードとは通常モードであり、前記第２モードとはデモモードであることを特徴とする請求項１に記載の表示システム。
【請求項３】
太陽電池と、
前記太陽電池により得られた電力を蓄電する蓄電装置と、
前記表示部と、前記表示制御部と、前記タッチパネルと、前記検知部と、を備えた表示装置と、を備え、
前記表示装置は、前記太陽電池および前記蓄電装置から電力を供給されることを特徴とする請求項１に記載の表示システム。
【請求項４】
表示部と、
表示制御部と、
前記表示部の前面側に設けられた透光性のタッチパネルと、
前記表示部により映像が表示される映像表示エリアの外側部分に設けられた導電性部材と、を備え、
前記表示制御部は、前記タッチパネルまたは前記導電性部材に接触があったときに所定の表示を前記表示部が行うよう制御することを特徴とする表示装置。
【請求項５】
表示部と、
表示制御部と、
前記表示部の前面側に設けられた透光性のタッチパネルと、
前記表示部の映像表示エリア外と前記タッチパネルの検知可能エリアが重なる前記タッチパネルの領域にその一部が対向するよう配される導電性部材と、を備え、
前記表示制御部は、前記タッチパネルまたは前記導電性部材に接触があったときに所定の表示を前記表示部が行うよう制御することを特徴とする表示装置。
【請求項６】
前記導電性部材は、表示装置の前面に沿って延在する延在部と、前記延在部の長手方向の一部から前記タッチパネルの領域に近接して対向するよう突出する突出部と、を有することを特徴とする請求項５に記載の表示装置。
【請求項７】
前記表示制御部は、動作モードが第１モードの場合、前記タッチパネルに接触があったときに所定の表示を前記表示部が行うよう制御し、動作モードが第２モードの場合、前記タッチパネルまたは前記導電性部材に接触があったときに所定の表示を前記表示部が行うよう制御することを特徴とする請求項４に記載の表示装置。
【請求項８】
第１モードとは通常モードであり、第２モードとはデモモードであることを特徴とする請求項７に記載の表示装置。
【発明の詳細な説明】
【技術分野】
【０００１】
本発明は、表示システムおよび表示装置に関する。
【背景技術】
【０００２】
近年、デジタルサイネージと呼ばれ、屋外や公共施設に配置されるディスプレイ等に広告コンテンツやメッセージ等を表示するものが登場している。このような広告用のディスプレイは、例えばバス停等に用いられている（特許文献１）。また、このようなディスプレイには表示面の上にタッチパネルが設けられているものが多い。
【先行技術文献】
【特許文献】
【０００３】
【特許文献１】特開２００９−２９４２８４号公報（第３図）
【発明の概要】
【発明が解決しようとする課題】
【０００４】
デジタルサイネージ用のディスプレイには、通常モードとデモモードの二つのモードを有するものがある。従来、通常モードとデモモードの両方において、ボタンやアイコンの表示位置上でユーザがタッチパネルを触れた場合に所定の表示が行っていた。通常モードではこのような操作は普通であるが、デモモードではこのような操作はユーザにとって煩わしい場合がある。
【課題を解決するための手段】
【０００５】
本発明の或る態様に係る表示システムは、
表示部と、
表示制御部と、
タッチパネルと、
前記タッチパネルに対する接触を検知する検知部と、を備え、
前記表示制御部は、
動作モードが第１モードの場合、前記タッチパネルの所定画像の位置に前記接触があった時に所定の表示を行い、
動作モードが第２モードの場合、前記タッチパネルに前記接触があった時、所定画像の有無、及び該接触の位置に関係なく所定の表示を行うことを特徴とする。【０００６】
また、本発明の或る態様に係る表示装置は、
表示部と、
表示制御部と、
前記表示部の前面側に設けられた透光性のタッチパネルと、
前記表示部により映像が表示される映像表示エリアの外側部分に設けられた導電性部材と、を備え、
前記表示制御部は、前記タッチパネルまたは前記導電性部材に接触があったときに所定の表示を前記表示部が行うよう制御することを特徴とする。【０００７】
また、本発明の他の態様に係る表示装置は、
表示部と、
表示制御部と、
前記表示部の前面側に設けられた透光性のタッチパネルと、
前記表示部の映像表示エリア外と前記タッチパネルの検知可能エリアが重なる前記タッチパネルの領域にその一部が対向するよう配される導電性部材と、を備え、
前記表示制御部は、前記タッチパネルまたは前記導電性部材に接触があったときに所定の表示を前記表示部が行うよう制御することを特徴とする。
【図面の簡単な説明】
【０００８】
【図１】本発明の第１実施形態に係る屋外表示システム１００の外観図である。
【図２】本発明の第１実施形態に係る屋外表示システム１００のブロック図である。
【図３】本発明の第１実施形態に係る画面操作制御の一例を示すフローチャートである。
【図４】本発明に係る画面表示変更の一例を示す図である。
【図５】本発明の第２実施形態に係る表示装置２００の正面図である。
【図６】本発明の第２実施形態に係る表示装置２００の側面図である。
【図７】本発明の第２実施形態に係る表示装置２００の下面図である。
【図８】タッチパネルの正面図である。
【図９】図５におけるＡ−Ａ断面の一部断面図である。
【図１０】図９においてキャビネットのみを示した図である。
【図１１】図５におけるＢ−Ｂ断面の一部断面図である。
【図１２】本発明の第２実施形態に係る表示システム３００のブロック構成図である。
【図１３】本発明の第２実施形態に係る画面操作制御の一例を示すフローチャートである。
【図１４】本発明の一実施形態に係るキオスク端末４００の正面図である。
【図１５】本発明に係る表示装置の変形例２００’’を示す図である。
【図１６】本発明に係る表示装置の変形例を示す一部断面図である。
【図１７】本発明に係る表示装置の変形例を示す一部断面図である。
【発明を実施するための形態】
【０００９】
以下に本発明の実施形態を図面を参照して説明する。
【００１０】
（第１実施形態）
本発明の第１実施形態に係る屋外表示システム１００の外観図を図１に示す。
【００１１】
この屋外表示システム１００は、太陽電池１０と、設置台２０と、表示装置３０と、を有する。また、屋外表示システム１００は、表示装置３０の裏面側にコントローラ４０および蓄電池５０を有する。
【００１２】
太陽電池１０は、表示装置３０の上に設けられる設置台２０上に設置され、受光した太陽光を光電変換することにより発電を行う。太陽電池１０により得られた電力は、コントローラ４０を介して蓄電池５０に蓄えられる。蓄電池５０は、例えばリチウムイオンバッテリである。
【００１３】
表示装置３０は、表示パネル５を備える。表示装置３０は、外部のコンテンツサーバや放送局などから受信したコンテンツ等を表示する。また、表示装置３０の前面側にはタッチパネル６が備えられており、タッチパネル６に触れることでユーザは画面上での操作ができる。  
【００１４】
また、表示装置３０は、アンテナを備えており、コンテンツを無線により受信することができる。
【００１５】
屋外表示システム１００のブロック図を図２に示す。図１での説明とも一部重複するが、屋外表示システム１００は、太陽電池１０と、表示装置３０と、コントローラ４０と、蓄電池５０と、を備えている。表示装置３０は、受信部１と、蓄積部２と、表示制御部３と、バックライト４と、表示パネル５と、タッチパネル６と、電源回路７と、制御部８と、を有している。
【００１６】
コントローラ４０は、太陽電池１０が発電した電力を表示装置３０および蓄電池５０へ供給する。原則的に、コントローラ４０は、太陽電池１０が発電した電力の大部分をそのまま表示装置３０へ供給する。そして、余剰電力（太陽電池１０による発電電力と表示装置３０の消費電力の差分電力）を蓄電池５０へ供給する。また、夜間や雨天時は、コントローラ４０は、蓄電池５０から表示装置３０へ電力供給がなされるように制御する。即ち、蓄電池５０に蓄えられた電力は、コントローラ４０経由で表示装置３０へ供給される。
【００１７】
制御部８は、例えばＣＰＵにより構成され、表示装置３０の各部に対する制御、各部の状態情報の収集を行う。また、収集した状態情報に応じて各部の制御を行う。また、表示装置３０と蓄電池５０への電力供給の配分情報もコントローラ４０から制御部８へ送信される。
【００１８】
表示パネル５は、画像の表示を行う部分であり、表示装置３０では液晶（LCD  :  Liquid  Crystal  Panel）パネルが用いられる。液晶パネルは、表示する画像の内容に応じてパネルの各画素に対応する液晶がオン状態・オフ状態またはその中間状態に駆動される。
【００１９】
バックライト４は、表示パネル５に白色光を照射する。バックライト４は、例えば冷陰極管（ＣＣＦＬ）、ＬＥＤ光源が用いられる。低消費電力化の観点からはＬＥＤ光源を用いることが望ましい。
【００２０】
タッチパネル６は、表示パネル５の前面側の保護ガラス（不図示）に配される透明シート状の静電容量型のセンサである。このタッチパネル６はユーザからの操作入力を受け付ける。
【００２１】
受信部１は、外部のコンテンツサーバ（例えば、ＡＳＰサーバ、パソコンなど）あるいは放送局から無線通信（例えば、ＷｉＭＡＸ、ＩＥＥＥ８０２．１１ｂ／ｇなどの方式）により送信される信号を受信するアンテナと、アンテナで受信した信号に対し復調処理を行う信号処理部を有する。例えば、無線信号がＯＦＤＭ方式により変調されて伝送されたＭＰＥＧ２−ＴＳ形式の信号であれば、受信部１はＯＦＤＭ復調を行い、ＭＰＥＧ２−ＴＳ信号を抽出する。抽出されたＭＰＥＧ２−ＴＳ信号は、蓄積部２へ出力される。
【００２２】
蓄積部２は、受信部１により抽出されたＭＰＥＧ２−ＴＳ信号を保存する。即ち、コンテンツサーバや放送局から送信されたコンテンツを保存する。コンテンツがリアルタイムコンテンツである場合（受信したコンテンツを即時に表示パネル５で表示する場合）、蓄積部２はバッファメモリとして機能する。コンテンツがユーザの操作に応じて表示されるコンテンツ、あるいは予め設定されたタイムスケジュールに基づいて表示されるコンテンツである場合、蓄積部２はストレージメディアとして機能する。
【００２３】
表示制御部３は、表示パネル５における表示制御を行う。具体的には、表示させるコンテンツの内容に応じて、表示パネル５の各画素に対応する液晶の変調を行う。表示制御部３は高速な処理を必要とするため、ＣＰＵにより構成される制御部８とは別に設けられた専用のハードウェア回路により実現される。
【００２４】
電源回路７は、表示装置３０の各部に対し電源供給を行う。表示パネル５、バックライト４における消費電力が他の部分と比して大きいことに鑑み、図２では、電源回路７は、表示パネル５、バックライト４に対してのみ電源供給を行うがごとく記載しているが、実際は、電源回路７は、受信部１、蓄積部２、表示制御部３、タッチパネル６などにも電力を供給する。  
【００２５】
次に、屋外表示システム１００の画面を操作した場合に行われる制御に関して図３で示すフローチャートを用いて説明する。
【００２６】
まず、表示パネル５に或る画面が表示されているとする。ここで、ユーザによりタッチパネル６が触れられると、制御部８はこれを検知する（ステップＳ１）。もし動作モードが通常モードである場合は、制御部８は、タッチパネル６のタッチ位置がボタンやアイコン等の所定画像の表示位置であるか否かを判定する（ステップＳ２）。そして、所定画像の表示位置であれば（ステップＳ２のＹ）、制御部８は、所定の表示を行うよう表示制御部３に指示し、所定の表示が行われる（ステップＳ４）。一方、所定画像の表示位置でなければ（ステップＳ２のＮ）、所定の表示は行わない（ステップＳ３）。
【００２７】
また、ステップＳ１の後、動作モードがデモモードである場合は、制御部８は、タッチパネル６のタッチ位置に関わらず、所定の表示を行うよう表示制御部３に指示し、その結果、所定の表示が行われる（ステップＳ５）。即ち、デモモードの場合、画面のどの位置をユーザが触れても所定の表示が行われる。
【００２８】
例えば、初期状態として、図４(a)のような画像、すなわち、太陽電池１０により発電された電力の蓄電池５０と表示装置３０への電力供給配分を示す画像が表示パネル５に表示されているとする。また、図４(a)で示す画面の右下にはアイコン６０が表示されている。
【００２９】
ここで、動作モードが通常モードの場合、ユーザがタッチパネル６のアイコン６０の表示位置を触れると、図４(b)のような画像、すなわち、表示装置３０と蓄電池５０への電力供給の時系列を示す画像が表示パネル５に表示される。一方、ユーザがタッチパネル６のアイコン６０の表示位置以外を触れた場合は、図４(b)のような表示に切り替わることはなく、図4(a)の画像の表示が維持される。すなわち、図３のフローチャートにおいて、「所定の表示を行う」とは、例えば、ある画像（図４(a)）の表示状態から、所定の他の画像（図４(b)）の表示状態に変更することをいう。一方、「所定の表示を行わない」とは、所定の他の画像の表示状態への変更を行わない（すなわち、ある画像の表示状態を維持する）ことをいう  
【００３０】
また、「所定の表示を行う」とは、例えば、コンテンツがパワーポイント（登録商標）のスライドである場合、現ページから次ページへ表示を変更するような場合も含む。また、「所定の表示を行わない」とは、パワーポイントのスライドにおいて、次ページへは移らず、現ページの画像をそのまま表示するような場合も含む。
【００３１】
一方、動作モードがデモモードである場合は、図４(a)で示す画面が表示されている状態で、ユーザがタッチパネル６のいずれの位置を触れても、図４(b)で示すような画面の表示へ切り替わる。つまり、ユーザがタッチパネル６のアイコン６０の表示位置以外を触れた場合でも、表示画面が切り替わる。
【００３２】
このように、屋外表示システム１００では、動作モードがデモモードの場合、ユーザが表示画面のいずれの位置を触れても所定の表示が行われるので、デモモード時の操作性が向上する。
【００３３】
（第２実施形態）
本発明の第２実施形態に係る表示装置２００の正面図を図５に、側面図を図６に、下面図を図７に示す。
【００３４】
図６又は図７で示すように、表示装置２００は、前方キャビネット２０１と後方キャビネット２０５とから成る筐体と、表示パネル１５と、タッチパネル１６を有する。表示パネル１５の前面側には、タッチパネル１６が配される。また、図５、７で示されるように、表示装置２００では、表示パネル１５とタッチパネル１６のサイズはほぼ同一である。前方キャビネット２０１と後方キャビネット２０５は、例えばアルミや鉄の金属製であり、ネジ止めで一体化される。前方キャビネット２０１は、表示パネル１５、タッチパネル１６を固定できるような構成であり、この前方キャビネット２０１は、表示パネル１５、タッチパネル１６を支持する枠体として機能する。また、前方キャビネット２０１と後方キャビネット２０５とが合体することにより、表示パネル１５、タッチパネル１６および表示パネル１５の駆動基板等を内部に収容される。なお、前方キャビネット２０１と後方キャビネット２０５は軽量化の観点から樹脂を用いてもよいが、屋外用の表示装置に使用する場合は耐用性等の観点から金属製のものが望ましい。但し、近年では、表面に塗装を施すことで屋外でも使用可能な樹脂製のキャビネットも登場しているので、樹脂製でもよい。表示パネル１５は、実際に映像の表示を行うものであり、表示装置２００では液晶表示パネルを用いている。
【００３５】
図８は、表示装置２００に設けられるタッチパネル１６の正面図である。タッチパネル１６は、ユーザによるタッチを検知する透光性のセンサであり、表示装置２００では静電容量方式のタッチパネルである。タッチパネル１６では、板ガラスの背面にセンサワイヤから構成される電極層が配置されている。また、タッチパネル１６には、コントローラ１９がフレキシブルケーブル２０を介して接続される。ユーザの指先が板ガラスに触れると、静電容量が変化し、センサワイヤに入力されたパルス信号の周波数が変化する。この周波数変化に基づきコントローラ１９は指先が触れられた座標位置を検出する。なお、電極層は透明電極により構成されてもよい。
【００３６】
図９は、図５におけるＡ−Ａ断面の断面図の一部を示すものである（なお、図１０は、図９において前方キャビネット２０１及び後方キャビネット２０５のみを示した図である）。この図９は、表示装置２００を背面から見たときの左側部分、正面から見たときの右側部分を示すものである。なお、表示装置２００の前方キャビネット２０１の形状は左右対称であり、（表示装置２００を前面から見たときの）前方キャビネット２０１の形状も図９と同様である。表示パネル１５は、前方キャビネット２０１の前部に固定される。表示パネル１５、タッチパネル１６は、前方キャビネット２０１の前面側開口部２５０に配備される。また、前面側開口部２５０の外側には凹部２０１ｂが設けられる。凹部２０１ｂには、その壁面に沿うようにガスケット２０４が挿入される。このガスケット２０４が設けられた凹部２０１ｂにタッチパネル１６を嵌め込むと、タッチパネル１６の端部（左右両端）がガスケット２０４に挟持される。これにより、タッチパネル１６が表示パネル１５の前面側に固定される。なお、ガスケット２０４はゴム製であり、前方キャビネット２０１とタッチパネル１６の絶縁を行うと共に、タッチパネル１６の衝撃吸収機能も有する。また、前方キャビネット２０１が樹脂製の場合は、ガスケット２０４は必須ではない。
【００３７】
再び図８（或いは図５）を参照して、タッチパネル１６には、表示パネル１５により映像表示される映像表示エリアＡ１、ユーザによるタッチ操作が検知可能である検知可能エリアＡ２、及び外形エリアＡ３のほうがある。エリアＡ１よりもエリアＡ２が広い（即ち、エリアＡ２の大部分はエリアＡ１と重なっている）。更にエリアＡ２よりもＡ３が広い。また、映像表示エリアＡ１外と検知可能エリアＡ２が重ならない領域（即ち、外形エリアＡ３のうち検知可能エリアＡ２より外側の領域）の左右両端部が前方キャビネット２０１の凹部２０１ｂに挿入されたガスケット２０４により挟持される。前方キャビネット２０１の開口部２５０のサイズは、検知可能エリアＡ２のサイズとほぼ同一であり、図５に示すように、タッチパネル１６が固定された状態で開口部２５０からタッチパネル１６の検知可能エリアＡ２が露出する。これにより、ユーザはタッチパネル１６の映像表示エリアＡ１だけでなく、検知可能エリアＡ２に対してもタッチ操作をすることができる。
【００３８】
また、図９に示すように、前方キャビネット２０１前面２０１ｄ（図５）の側部２０１ｅから開口部２５０にかけて絶縁物２０３が設けられる。絶縁物２０３は例えばゴム製のスポンジであり、前方キャビネット２０１前面２０１ｄに設けられた部分には厚みｄ１が３ｍｍ程度の絶縁物２０３が設けられる。そして、絶縁物２０３の表面に導電性の拡張検知エリア部２０２が設けられる。絶縁物２０３は、拡張検知エリア部２０２を前方キャビネット２０１から絶縁する。前方キャビネット２０１が樹脂製である場合、絶縁物２０３は不要である。
【００３９】
次に、図９及び図１１を参照して、拡張検知エリア部２０２について説明する。ここで、図１１は、図５におけるＢ−Ｂ断面の断面図の一部を示したものであり、かつ、表示装置２００の上下方向中央付近を示したものである。拡張検知エリア部２０２は、例えば銅箔テープから構成され、絶縁物２０３の前面を覆うように延びる拡張部２０２ａと、その拡張部２０２ａの内側端部からタッチパネル１６表面に近づく方向（背面方向）に突出する突出部２０２ｂとを有する。突出部２０２ｂにおいては、長手方向中央部に存在する所定幅ｄ３の領域２０２ｂ１では、タッチパネル１６表面から寸法ｄ２離れて近接する位置まで突出し、それ以外の領域２０２ｂ２では突出量を小さくしている。寸法ｄ２は１ｍｍ程度とし、所定幅ｄ３は指先１本〜３本程度のサイズ（２ｃｍ程度）とすればよい。なお、寸法ｄ２をゼロとして突出部２０２ｂとタッチパネル１６が当接するようにしてもよいが、タッチパネル１６が傷つくことを抑える点では寸法ｄ２をゼロとしないほうが望ましい。また、ユーザが触れる延在部２０２ａを塗装または薄い絶縁物で覆っても構わない。
【００４０】
特に図９を参照して、領域２０２ｂ１の背面部から略直角に外方向に向かって突出部２０２ｃが突出する。領域２０２ｂ１の背面部および突出部２０２ｃは、タッチパネル１６の映像表示エリアＡ１外と検知可能エリアＡ２が重なる領域（図８の斜線部がこれに相当）に寸法ｄ２だけ離れて対向する（図９参照）。このような拡張検知エリア部２０２にユーザがタッチすると、領域２０２ｂ１の背面部および突出部２０２ｃに対向する位置のタッチパネル１６の表面がタッチされたとものとみなしてコントローラ１９はその位置をタッチ位置として検出する。これにより、タッチパネル１６の表面に直接タッチしなくても拡張検知エリア部２０２にタッチすれば、タッチパネル１６に間接的にタッチしたものとみなされるので、タッチパネル１６の表面（特に映像表示エリアＡ１）が汚れにくくなり、映像の視認性の悪化を抑えることができる。
【００４１】
また、コントローラ１９は、検出されたタッチ位置がタッチパネル１６の広範な領域である場合は、実際にユーザがタッチしたのではなく、周辺電波等のノイズの影響によるものであると判定する。従って、仮に突出部２０２ｂがタッチパネル１６の全領域に渡って設けられた場合、ユーザが拡張検知エリア部２０２をタッチした場合、拡張検知エリア部２０２をタッチしたのではなく、ノイズの影響によるものと誤判定される恐れがある。そこで、本実施形態では突出部２０２ｂのうち、長手方向中央部の領域２０２ｂ１のみをタッチパネル１６に近接させている。これにより、誤判定を抑えることができる。
【００４２】
次に、上記表示装置２００を含む表示システム３００のブロック構成図を図１２に示す。第１実施形態の表示システム１００と同様、本表示システム３００も屋外に配されるものである。
【００４３】
図１２で示すように表示システム３００は、太陽電池２１と、コントローラ２１０と、蓄電池２２０と、表示装置２００を有する。表示装置２００は、受信部１１と、蓄積部１２と、表示制御部１３と、バックライト１４と、表示パネル１５と、タッチパネル１６と、拡張検知エリア部２０２と、電源回路１７と、制御部１８と、コントローラ１９とを有している。なお、受信部１１、蓄積部１２と、表示制御部１３、バックライト１４、表示パネル１５、電源回路１７、制御部１８の機能は、それぞれ第１実施形態の受信部１、蓄積部２と、表示制御部３、バックライト４、表示パネル５、電源回路７、制御部８と同様であるから、以下詳細な説明は省略する。
【００４４】
タッチパネル１６は、第１実施形態のタッチパネル６と同様、表示パネル１５の前面側の保護ガラス（不図示）に配される透明シート状の静電容量方式のセンサである。更に図８に示すように、タッチパネル１６にはコントローラ１９が接続されており、制御部１８がコントローラ１９を制御している。なお、制御部１８とコントローラ１９はＵＳＢやＲＳ−２３２Ｃ等のインタフェースで通信を行う。
【００４５】
拡張検知エリア部２０２は、上述したようにタッチパネル１６の映像表示エリアＡ１の外側の領域に設けられたものである。この拡張検知エリア部２０２により、ユーザによるタッチ入力が検知可能なエリアが拡張される。
【００４６】
次に、屋外表示システム３００の画面を操作した場合に行われる制御について図１３で示すフローチャートを用いて説明する。
【００４７】
屋外表示システム３００での制御は、基本的には第１実施形態の屋外表示システム１００のそれと同じである（図３参照）。但し、屋外表示システム１００では、タッチパネル６の本体上をユーザが触れた場合にのみタッチ操作があったものとみなすが（図３のＳ１）、本実施形態では、タッチパネル１６本体の他、拡張検知エリア部２０２上をユーザが触れた場合もタッチ操作があったものとみなす点で相違する（ステップＳ１１）。
【００４８】
以下、ステップＳ１３、Ｓ１４、Ｓ１５、Ｓ１６は、それぞれ図３のステップＳ５、Ｓ２、Ｓ４、Ｓ３と同様である。
【００４９】
なお、デモモードおよび通常モードの設定は表示装置２００の管理者がタッチパネル１６の操作により行ってもよい。例えばタッチパネル１６を長押しすることでモードが切り替えることができる。また、表示装置２００にキーボード等、専用の操作部を設け、これを操作することでモード設定可能としてもよい。表示コンテンツの表示ページごとにデモモードか通常モードが設定可能としてもよい。例えば、前半の数ページは客への説明用のページでありデモモードに設定し、後半の数ページは客が実際に操作可能なページであり通常モードに設定するようにしても良い。
【００５０】
従来、タッチパネルが搭載されたデジタルサイネージでは、数多くのユーザがタッチパネルを触れる。これにより、タッチパネルが指紋等で汚れ易いという問題があった。そのため、表示された映像の視認性が悪化したり、頻繁に布等でタッチパネルを拭いて清掃したりする必要があった。
【００５１】
これに対し、上記表示装置２００によれば、タッチパネル１６の本体部分の他、タッチパネル１６の本体の外側領域にある拡張検知エリア部２０２を触れても操作が可能なので、特にデモモード時の操作性が向上し、利便性の高くなる。また、タッチパネル１６の本体を触れることなく操作ができるので、タッチパネル１６を汚れにくくすることができる。
【００５２】
（第３実施形態）
本発明の第３実施形態について説明する。本実施形態は、街頭や店舗等に設置されるキオスク端末４００に関する。このキオスク端末４００の正面図を図１４に示す。キオスク端末４００においては、例えば表示装置２００’がキオスク筐体４０１の内部に設置される。この表示装置２００’は、上述の表示装置２００と同様の構成であるが、拡張検知エリア部（２０２）の構成が相違する。即ち、検知エリア拡張部２０２’は、図１４のように、キオスク筐体４０１の前面に取り付けられる。この検知エリア拡張部２０２’を塗装やシール等による宣伝ロゴ４０２で覆えば、違和感のないデザインとなる。
【００５３】
（第４実施形態）
本発明の第４実施形態に係る表示装置２００’’について、図１５を参照して説明する。表示装置２００’’では、タッチパネル１６の上側、下側、左上、左、左下、右上、右、右下に、それぞれ拡張検知エリア部２０２Ｌ、２０２Ｍ、２０２Ｎ、２０２Ｐ、２０２Ｑ、２０２Ｒ、２０２Ｓ、２０２Ｔを設けている。例えば地図コンテンツが表示装置２００’’の表示パネルにより表示されているときに拡張検知エリア部２０２Ｌがタッチされると、現在表示している位置よりも北方の位置の地図を表示する等、拡張検知エリア部を方向キーとして利用することもできる。
【００５４】
（第５実施形態）
上記実施形態では、表示パネル１５とタッチパネル１６のサイズを同一としているが、表示パネルのサイズをタッチパネル１６より小さくしてもよい。係る実施形態について図１６を参照して説明する。本実施形態では、表示パネル１５’のサイズをタッチパネル１６より小さく、表示パネル１５’の外縁部が拡張検知エリア部２０２の突出部２０２ｂより内側に配置させている。係る構成でも、領域２０２ｂ１の背面部と突出部２０２ｃが検知可能エリアＡ２に対向するので、ユーザが拡張検知エリア部２０２に触れるとタッチパネル１６にタッチされたと検知することができる。
【００５５】
（第６実施形態）
図１７に示すように、タッチパネル１６と対向する部分（突出部２０２ｃ等）を有さない構成であってもよい。突出部２０２ｃ等を有する構成と比較して感度は低下するものの、検知エリア拡張部２０２’に人の指が触れた場合にタッチパネル１６が静電容量変化を検知できるのであれば、係る構成でもよい。 
【００５６】
以上、本発明の実施形態について説明したが、本発明の趣旨の範囲内であれば、実施形態は種々変更が可能である。
【００５７】
例えば、第２実施形態では、表示装置２００の左右にのみ拡張検知エリア部２０２を有するが、表示装置の上下にのみ拡張検知エリア部を設けてもよい。
【００５８】
また、以上の実施形態は表示装置の表示部として液晶表示パネルを例に説明したが、これに代えて、プラズマパネル、有機ＥＬ、電子ペーパー、ＣＲＴあるいは広告フィルム等でもよい。また、表示装置の電源としては、太陽電池による電力に限らず、商用電源でも構わない。
【符号の説明】
【００５９】
１０  太陽電池
２０  設置台
３０  表示装置
４０  コントローラ
５０  蓄電池
６０  アイコン
１００  屋外表示システム
１５  表示パネル
１６  タッチパネル
２００  表示装置
２０１  前方キャビネット
２０２  検知エリア拡張部
２０３  絶縁物
２０４  ガスケット
２０５  後方キャビネット
３００  表示システム
４００  キオスク端末
４０１  キオスク筐体
４０２  宣伝ロゴ
Ａ１  映像表示エリア
Ａ２  検知可能エリア
Ａ３  外形エリア
【図１】
2012073577.tif 000003
【図２】
2012073577.tif 000004
【図３】
2012073577.tif 000005
【図４】
2012073577.tif 000006
【図５】
2012073577.tif 000007
【図６】
2012073577.tif 000008
【図７】
2012073577.tif 000009
【図８】
2012073577.tif 000010
【図９】
2012073577.tif 000011
【図１０】
2012073577.tif 000012
【図１１】
2012073577.tif 000013
【図１２】
2012073577.tif 000014
【図１３】
2012073577.tif 000015
【図１４】
2012073577.tif 000016
【図１５】
2012073577.tif 000017
【図１６】
2012073577.tif 000018
【図１７】
2012073577.tif 000019
【国際調査報告】
2012073577.tif 000020
2012073577.tif 000021
2012073577.tif 000022
2012073577.tif 000023
2012073577.tif 000024
2012073577.tif 000025
2012073577.tif 000026
2012073577.tif 000027